(57)【特許請求の範囲】
【請求項１】
第１部材に対して第２部材を直交２軸回りに回転可能に取り付けてなるものであって、
前記第１部材と前記第２部材の間に回転部材を介在させ、この回転部材は前記第１部材に設けた支軸部に外嵌されることにより第１軸心回りに回転可能であって、前記第１部材の前記支軸部の外周に円周溝を設ける一方、前記回転部材には当該第１軸心を通り当該第１軸心と直交する第２軸心方向に貫通孔を対をなして開口させており、前記第２部材は対をなす基端を前記回転部材の対をなす貫通孔に枢着されることにより前記第２軸心回りに回転可能であって、枢着時に前記基端が前記貫通孔を通過して前記第１部材の支軸部の外周に設けた前記円周溝に径方向から入り込んで前記回転部材の回転を妨げることなく係合することで当該回転部材の前記第１部材からの抜脱を禁止する手段をなしており、前記第２部材の基端と前記第１部材の円周溝との係合を保って当該第２部材を、前記回転部材を介して前記第１部材に取り付けたままの状態で前記第１軸心の回り及び前記第２軸心の回りの直交２方向に回転させ得るようにしていることを特徴とする構造体。
【請求項２】
少なくとも前記第２部材の基端が弾性変形可能な線材で構成され、一対の対向する前記基端を相離れる方向に弾性変形させた後に前記回転部材の貫通孔に枢着して前記支軸部の外周に設けた前記円周溝に係合させ、再び弾性変形させない限り前記基端が前記円周溝及び前記回転部材の貫通孔から外れ得ないようにしている請求項１記載の構造体。
【請求項３】
前記回転部材が前記円周溝を含めて前記支軸部の全体を内包する有底円筒体状のものである請求項１又は２何れかに記載の構造体。
【請求項４】
請求項１〜３何れかに記載の構造体を利用したものであって、表面に前記支軸部を突設し裏面に取付部を形成し前記支軸部の外周には前記円周溝が設けられた第１部材たる台座と、この台座の前記支軸部に着脱可能に外嵌され当該支軸部の前記第１軸心を通り当該第１軸心と直交する前記第２軸心方向に前記貫通孔を対をなして開口させた前記回転部材と、対をなす前記基端をこの回転部材の対をなす前記貫通孔に回転可能に枢着した第２部材たるフック体とを具備し、枢着時に前記基端を前記貫通孔を通過して前記台座の支軸部の外周に設けた前記円周溝に径方向から入り込んで、前記回転部材の回転を妨げることなく係合することで当該回転部材の前記第１部材からの抜脱を禁止し、前記フック体の基端と前記台座の円周溝との係合を保って当該フック体を前記回転部材を介して前記台座に取り付けたままの状態で前記第１軸心の回り及び前記第２軸心の回りの直交２方向に回転させ得るようにしたことを特徴とする掛吊具。
【発明の詳細な説明】
【技術分野】
【０００１】
本発明は、第１部材に対して第２部材を直交２軸回りに回転可能に取り付ける際に好適に利用される構造体及びそれを利用した掛吊具に関するものである。
【背景技術】
【０００２】
例えば、この種の掛吊具として、マグネットフックと称される小物掛けが知られている。この小物掛けは大別して、裏面にマグネットを備えた台座に物品を掛吊するフック体を単に固定して設ける固定タイプのもの、台座の表面から突出する軸回りにフック体を回転可能に取り付ける１軸回転タイプのもの、及び台座の表面から突出する軸回り及びその軸と直交する軸回りにフック体を回転可能に取り付ける２軸回転タイプのものに類別される。
【０００３】
このうち、１軸回転タイプ及び２軸回転タイプのものは、台座を例えばキャビネットの扉のような鉛直な金属面に取り付けた際に台座の取付方位の如何に拘わらずフック体を台座の表面から突出する軸回りに回転させて垂下姿勢をとらせることができるので、無造作に取り付けても適正な使用状態を確保できるという利便性がある。さらに２軸回転タイプのものは、台座を例えば棚板の下面のような水平な金属面に取り付けた場合に、フック体を前記軸と直交する軸回りに９０度回転させて台座の面より垂下させることができるので、取付方位の自由度を更に向上させることが可能となる。
【０００４】
このような２軸回転タイプの掛吊具として、特許文献１に示すものが知られている。
【特許文献１】実公昭５７−４６８６４号公報
【発明の開示】
【発明が解決しようとする課題】
【０００５】
ところが、かかる特許文献１のものは、回転部材に設けた中空体状の挿入部を台座に設けた孔部に挿入し、その挿入部の先端に膨出させて設けた係止部を縦割りすることにより弾性を付与しておき、挿入部を圧縮しながら台座に設けられた孔部に挿入してその挿入端で係止部を拡開させ、その状態で背面より孔部にピンを差し込んで挿入部の中空部分に圧入し、台座からの回転部材の脱落を防止するようにしている。そして、回転部材に前記軸心と直交する軸心方向に挿入凹所を開口させ、フック体の基端を枢着している。
【０００６】
このように、回転部材を先ず台座に脱落し得ない状態で回転可能に取り付け、その上で、フック体を回転部材に枢着するようにしているので、部品点数が多く、構造も複雑で、加工・組立工程も多いため作業が面倒であるという不具合がある。
【０００７】
これ以外の構造として、上記回転部材の挿通部を孔部に対して一端嵌め込んだら抜脱不能となるような爪やリブを付与して嵌め込む構造や、ピンを回転部材側に設けて孔部の通過位置でかしめる構造等も考えられるが、何れも回転部材を先ず台座に脱落し得ない状態で回転可能に取り付け、その上で、フック体を回転部材に枢着するという点において特許文献１と同様の構造であり、同様の不具合を抱えるものである。
【０００８】
本発明は、このような課題に着目してなされたものであって、台座とフック体の関係に限らず、一般に第１部材に対して第２部材を、簡素な構造によって直交２軸回りに回転可能に取り付けることを可能にした新規有用な構造体及びこれを利用した掛吊具を提供することを目的としている。
【課題を解決するための手段】
【０００９】
本発明は、かかる目的を達成するために、次のような手段を講じたものである。
【００１０】
すなわち、本発明の構造体は、第１部材に対して第２部材を直交２軸回りに回転可能に取り付けてなるものであり、第１部材と第２部材の間に回転部材を介在させ、この回転部材は第１部材に設けた支軸部に外嵌されることにより第１軸心回りに回転可能であって、第１部材の支軸部の外周に円周溝を設ける一方、回転部材には当該第１軸心を通り当該第１軸心と直交する第２軸心方向に貫通孔を対をなして開口させており、第２部材は対をなす基端を前記回転部材の対をなす貫通孔に枢着されることにより第２軸心回りに回転可能であって、枢着時に基端が貫通孔を通過して第１部材の支軸部の外周に設けた円周溝に径方向から入り込んで回転部材の回転を妨げることなく係合することで当該回転部材の第１部材からの抜脱を禁止する手段をなしており、第２部材の基端と円周溝との係合を保って当該第２部材を、回転部材を介して第１部材に取り付けたままの状態で第１軸心の回り及び第２軸心の回りの直交２方向に回転させ得るようにしていることを特徴とする。
【００１１】
このような構成において、第２部材は、回転部材とともに第１部材の第１軸心回りに回転することができ、また、回転部材に対して第２軸心回りに回転することができるので、結果的に第１部材に対して直交２軸回りに回転することが可能となる。しかも、第２部材の基端を回転部材に枢着する構造が、回転部材の回転を妨げることなく当該回転部材の第１部材からの脱落を禁止する役割を兼ねるので、第１部材に先ず回転部材を脱落し得ない状態で回転可能に取り付け、その上で回転部材に第２部材を取り付けるといった構造を採用する場合に比べて、部品点数が少なくて済み、構造も簡素となり、加工・組立工程も少ないため作業効率も有効に向上させることが可能となる。
【００１３】
特に好ましい構造としては、少なくとも第２部材の基端が弾性変形可能な線材で構成され、一対の対向する基端を相離れる方向に弾性変形させた後に回転部材の貫通孔に枢着して支軸部の外周に設けた円周溝に係合させ、再び弾性変形させない限り基端が円周溝及び回転部材の貫通孔から外れ得ないように構成しておくのがよい。
【００１４】
外観及び作動を良好なものにするためには、回転部材が円周溝を含めて支軸部の全体を内包する有底円筒体状のものであることが好ましい。
【００１５】
このよう構造体を利用した掛吊具としては、表面に支軸部を突設し裏面に取付部を形成し前記支軸部の外周には円周溝が設けられた第１部材たる台座と、この台座の支軸部に着脱可能に外嵌され当該支軸部の第１軸心を通り当該第１軸心と直交する第２軸心方向に貫通孔を対をなして開口させた回転部材と、対をなす基端をこの回転部材の対をなす貫通孔に回転可能に枢着した第２部材たるフック体とを具備し、枢着時に基端を貫通孔を通過して台座の支軸部の外周に設けた円周溝に径方向から入り込んで、回転部材の回転を妨げることなく係合することで当該回転部材の第１部材からの抜脱を禁止し、フック体の基端と円周溝との係合を保って当該フック体を回転部材を介して台座に取り付けたままの状態で第１軸心の回り及び第２軸心の回りの直交２方向に回転させ得るようにしたものが挙げられる。
【発明の効果】
【００１６】
本発明は、以上説明した構成により、部品点数が少なく、構造も簡素で、加工・組立工程も少なくて済むため、掛吊具を製造する場合における部品コスト及び製造コストを従来に比べて大幅に削減することが可能となる。
【発明を実施するための最良の形態】
【００１７】
以下、本発明の一実施形態を、図面を参照して説明する。
【００１８】
図１〜図６は、本発明の構造体を利用した掛吊具たるマグネットフックを示している。
【００１９】
このマグネットフックは、壁などに取り付けられる第１部材たる台座１に、回転部材２を介して、小物を掛吊するための第２部材たるフック体３を取り付けたものである。
【００２０】
台座１は、樹脂素材からなる扁平な有底円筒体状の本体部１１の表面中央より法線方向（第１軸心ｍ方向）に突出させて支軸部１２を一体形成してなるもので、本体部１１内にはネオジウム等の素材からなる扁平な円柱体状のマグネット４が剥離し得ないように収容され、そのマグネット４の裏面４ａが取付部をなしている。支軸部１２は、円柱体の軸方向中央部外周に円周溝１２ａを周設したもので、中央縦断面がＨ状をなしている。
【００２１】
回転部材２は、樹脂素材からなる有底円筒体状のもので、台座１の支軸部１２に着脱可能に外嵌されて円周溝１２ａを含めた前記支軸部１２の略全体を内包する内空２ａを有する。回転部材２は支軸部１２に対して比較的滑り良く回転するものである。そして、その周壁２１の第１軸心ｍを挟んだ対向位置に、当該第１軸心ｍを通りこれと直交する方向（第２軸心ｎ方向）に開口する挿入凹所たる貫通孔２１ａを設けている。
【００２２】
フック体３は、弾性変形可能な線条体を塑性変形可能して、一対の対向する基端３１から後述する湾曲部３１ａに連なり、さらに先端部３２に至るフック領域３３を側面視斜めＵ字状に成形してなるもので、先端部３２からそのフック領域３３の底部に向けて図３に示すように種々の小物類Ｚを引っ掛け、掛吊することができるようにしている。このフック体３の基端３１は所定距離ｄ（図４参照）を隔てて同軸上に対向させてある。
【００２３】
そして、フック体３の基端３１，３１間を図４に矢印Ｘで示すように一時的に相離れる方向に弾性変形させた後、復元させながら前記貫通孔２１ａに挿通することにより、復元状態でそれら基端３１の挿通端を台座１の支軸部１２の円周溝１２ａに入り込ませて係合させるようにしている。この状態で、フック体３の基端３１の対向方向が第２軸心ｎに合致し、フック体３はこの第２軸心ｎ回りに回転可能に枢着される。前述した所定距離ｄは、支軸部１２の円周溝１２ａの内側に位置する中心部１２ｂの直径Ｒに略対応させたものである。そして、フック体３の基端３１，３１間を拡開させる方向に再び弾性変形させない限り、基端３１が円周溝１２ａ及び回転部材２の貫通孔２１ａから外れ得ないようにしている。
【００２４】
このような構成からなる本実施形態の掛吊具は、フック体３を回転部材２とともに図７（ａ）に矢印で示すように台座１の第１軸心ｍ回りに回転させることができ、また、フック体３を回転部材２に対して図７（ｂ）に矢印で示すように第２軸心ｎ回りに回転させることができるので、結果的にフック体３を台座１に対して直交２軸（ｍ、ｎ）回りに回転させることが可能となる。
【００２５】
よって、この掛吊具の台座１を例えばキャビネットの扉のような鉛直な金属面に取り付けた際に、台座１の取付方位の如何に拘わらずフック体３を台座１の軸心ｍ回りに回転させれば鉛直な垂下姿勢をとらせることができ、無造作に取り扱っても適切な使用状態を確保することが可能となる。また、フック体３が前記軸心ｍと直交する軸心ｎ回りに回転可能であるため、例えば台座１を棚板の下面のような水平な金属面に取り付けるような場合には、図７（ｂ）に想像線で示すようにフック体３を略９０°回転させれば台座１の面よりフック領域３３を略鉛直に垂下させることができ、取付方位の自由度を更に向上させることが可能となる。
【００２６】
しかも、第２部材であるフック体３の基端３１を回転部材２に枢着する構造が、回転部材２の回転を妨げることなく同時に第１部材たる台座１からの回転部材２の脱落を禁止する役割を兼ねるようにしており、フック体３を回転部材２を介して台座１に取り付けたままの状態で第１軸心ｍの回り及び第２軸心ｎの回りの直交２方向に回転させ得るようにしているので、回転部材２の台座１への枢着及びフック体３の回転部材２への取り付けを別個に行なう従来のものに比べて、部品点数が少なくて済み、構造も簡素となり、加工・組立工程も少ないため作業効率も有効に向上させることができる。よって、従来に比べて製品のコストダウンを有効に図ることが可能となる。
【００２７】
具体的には、第２部材であるフック体３の基端３１を挿入凹所である貫通孔２１ａとともに対をなして設け、枢着時に基端３１を貫通孔２１ａを通過させて第１部材である台座１の支軸部１２の外周に設けた円周溝１２ａに径方向から入り込ませた位置に係合させるだけでよいので、構造が極めて簡便であり、これら３つの部材１，２，３の組付けを１回の作業で簡単に完了することができる。
【００２８】
特に、第２部材であるフック体３が弾性変形可能な線状体で構成され、一対の対向する基端３１を相離れる方向に弾性変形させた後に回転部材２の貫通孔２１ａに枢着して支軸部１２の円周溝１２ａに係合させ、再び弾性変形させない限り基端３１が円周溝１２ａ及び回転部材２の貫通孔２１ａから外れ得ない構造にしているため、回転部材２やフック体３が不慮に脱落することを有効に防止することが可能となる。
【００２９】
とりわけ、フック体３の基端３１とフック領域３３との境界部分に線条体の向きを９０°以上変える湾曲部３１ａを設けて、フック領域３３に掛かる荷重によって基端３１、３１間が開き難い構造にしてあるため、この点でも適正な使用状態を有効に維持することができる。
【００３０】
また、回転部材２が円周溝１２ａを含めて支軸部１２の略全体を内包する有底円筒体状をなすため、一旦回転部材２を台座１に被せ、フック体３を取り付ければ、台座１、回転部材２及びフック体３が内部構造を隠蔽して隙間なく一体的に組み上がり、良好な外観を呈すると同時に、作動もガタつきのない良好なものになるという効果がある。特にフック体３の基端３１が支軸部１２の中心部１２ｂに密接に当接ないし近接するので、フック体３が軸心ｎ方向にガタつくことが抑止され、良好な使用感を得ることができる。
【００３１】
以上のように、本発明を掛吊具として利用したときの効果は優れたものとなるが、本発明の構造体はこれ以外にもある部材に対して直交２軸回りの回転自由度の下に他の部材を取り付けたい種々の用途に広範に適用することができるものである。
【００３２】
また、フック体の形状等を始め、各部の具体的な構成は上述した実施形態のみに限定されるものではなく、本発明の趣旨を逸脱しない範囲で種々変形が可能である。
【図面の簡単な説明】
【００３３】
【図１】本発明の一実施形態に係る掛吊愚を示す斜視図。
【図２】同正面図。
【図３】同右側面図。
【図４】同正断面図。
【図５】同右側断面図。
【図６】同平断面図。
【図７】同作用説明図。
【符号の説明】
【００３４】
１…第１部材（台座）
２…回転部材
３…第２部材（フック体）
１２…支軸部
１２ａ…円周溝
２１ａ…挿入凹所（貫通孔）
３１…基端
ｍ…第１軸心
ｎ…第２軸心
【図１】
0004674668.tif 000002
【図２】
0004674668.tif 000003
【図３】
0004674668.tif 000004
【図４】
0004674668.tif 000005
【図５】
0004674668.tif 000006
【図６】
0004674668.tif 000007
【図７】
0004674668.tif 000008